(57)【要約】【課題】被服に装着するディスプレイ付きユニットやウェアラブルコンピューターから発生する熱や電磁波や衝撃、更に違和感を人体に直接伝え難くする事とユニット内の温度上昇加速を押さえる事を提供する。【解決手段】被服に装着するディスプレイ付きユニット２の人体側１１に生地表面６に熱伝導率の高い生地を有し、生地裏面９に熱伝導率の低い生地を有する。生地表面６と生地裏面９の間に金属繊維８をコーティングする。デザイン的には外ポケット方式とし、生地表面６と外側生地７を同じにした。更に生地の人体側１１に緩衝材１０を有した。【選択図】  図２
2004232173.tif 000002
【特許請求の範囲】
【請求項１】
被服に装着（縫着も含む）するディスプレイ付きユニットの人体側に、表面に熱伝導率の高い生地を有し、裏面に熱伝導率の低い生地を有する事を特徴とする。
【請求項２】
請求項１に記載の生地の表面と裏面の間に金属繊維をコーティングする事を特徴とする。
【請求項３】
請求項１に記載の生地の人体側に薄くて軽くてフレキシブルな緩衝材を有する事を特徴とする。
【発明の詳細な説明】
【０００１】
【発明の属する技術分野】
本発明は、被服に装着（縫着も含む）するディスプレイ付きユニット若しくはフレキシブルタイプのディスプレイ付きユニットと人体接触部分に関するものであり、特にディスプレイ付きユニットから発せられる熱や電磁波や衝撃、更に違和感を人体に伝え難くする事に関するものである。
【０００２】
【従来の技術】
最近、ウェアラブルコンピューターや被服にディスプレイ付きユニットを付ける研究開発やサンプル製作が多くなってきている。しかし、被服に装着するディスプレイ付きユニットから発生する熱を外気側に熱を逃がしたり、人体側に熱を伝え難くしたり、遮蔽したりする工夫をしていなかった為、ユニットから発生する熱が、直接人体に伝わっていた。
【０００３】
また、ユニットから発生した熱が、衣服内にこもり、ユニット内の温度上昇を加速させ、故障の原因の一つにもなっていた。
【０００４】
また、被服に装着するディスプレイ付きユニットから発生する電磁波も人体側に伝え難くする工夫をしていなかった為、ユニットから発生する電磁波が、直接人体に伝わっていた。
【０００５】
また、被服に装着するディスプレイ付きユニットは、非常に硬く丈夫な筐体で保護してあり、人体に対して衝撃や違和感を取り除く工夫をしていなかった為、直接人体に衝撃や違和感が伝わっていた。
【０００６】
【発明が解決しようとする課題】
このように従来技術では、ディスプレイ付きユニット（フレキシブルタイプのディスプレイ付きユニットも含む）から発生する熱や電磁波や衝撃、更に違和感を人体に直接伝え難くする工夫やユニット内の温度の上昇加速を押さえる工夫を施す課題があった。
【０００７】
そこで本発明は、上記従来の課題を解決しようとするものであり、被服に装着するディスプレイ付きユニットから発生する熱、電磁波や衝撃、更に違和感を人体に直接影響を与えない事を提供することを目的とする。
【０００８】
【課題を解決するための手段】
上記の課題を解決するため、請求項１の記載の発明は、被服に装着するディスプレイ付きユニットの人体側に、生地表面に熱伝導率の高い生地を有し、生地裏面に熱伝導率の低い生地を有する事を特徴する。
【０００９】
また、上記課題を解決するため、請求項２記載の発明は、生地表面と生地裏面の間に金属繊維をコーティングする事を特徴とする。
【００１０】
また、上記課題を解決するため、請求項３記載の本発明は、記載の生地の人体側に薄くて軽くてフレキシブルな緩衝材を有する事を特徴とする。
【００１１】
【発明の実施の形態】
以下さらに本発明の実施形態について説明する。
図１は、本発明の実施形態の被服にディスプレイ付きユニットを装着した斜視図です。
図２は、図１の被服とディスプレイ付きユニットの装着部分の断面斜視図です。
【００１２】
図１において１は、本発明の実態形態の被服である。被服１の左胸の部分にディスプレイ付きユニット２を装着（縫着も含む）し、被服の内側にバッテリーコード３を通し、被服１の右側裾下のバッテリー４に接続するものである。
【００１３】
図２において、ディスプレイ付きユニット２のディスプレイ部分５は外気側１２を向けて装着。
【００１４】
ディスプレイ付きユニット２から発生する熱はまず人体側１１の生地表面６に伝わる。その熱を人体側１１に伝え難くするには、この熱を生地表面６に拡散させ外気側１２に放出させる。デザイン的には外ポケット方式とし人体側１１の生地表面６と外側生地７を同じにする。
【００１５】
また、人体側１１の生地表面６と外側生地７の繊維素材としては熱伝導率の高いポリマーで製造された繊維を使用した。繊維形成可能でかつ熱伝導率の高いポリマーとしてエチレンービニルアルコール共重合ポリマーがある。これによりユニットから発生する熱を拡散する物を見いだしたものであり、その他の材料でも同様の効果が得られれば本発明に含まれる。
【００１６】
その他、熱伝導性に優れた素材は金属がある。生地表面６の生地裏面９の間に金属繊維８（アルミ、銀等）をコーティングすれば更に優れた熱移動の効果がある。
その他の金属の材料でも同様の効果が得られれば本発明に含まれる。
【００１７】
更に金属繊維は電磁波遮蔽効果を合わせ持つため、ディスプレイ付きユニット２やウェアラブルコンピューターから発生する電磁波を遮蔽する効果がある。
これによりユニットから発生する電磁波を、人体へ伝え難くする物を見いだしたものであり、その他の材料でも同様の効果が得られれば本発明に含まれる。
【００１８】
次に生地表面６に広く熱を拡散させるには、生地裏面９、すなわち人体側１１に熱が移動し難い工夫をした。ここで考えたのが、熱伝導率の低いポリエステルを生地裏面９に使用した。すなわちディスプレイ付きユニット２から発生する熱は熱伝導率の低いポリエステルには移動し難く、熱伝導率の高いエチレンービニルアルコール共重合ポリマーを用いた生地表面６に拡散するのである。これによりユニットから発生する熱を更に、人体へ伝え難くする物とユニット内の温度上昇加速を押さえる物を見いだしたものであり、その他の材料でも同様の効果が得られれば本発明に含まれる。
【００１９】
次にディスプレイ付きユニット２は、非常に硬くて丈夫な筐体で保護されている為、人体に直接衝撃や違和感を与えない工夫をした。人体側に薄くて軽くてフレキシブルで高い断熱効果のある緩衝材１０を持たせた。緩衝材１０は、厚さ３ｍｍのビーズ法発砲ポリプロピレンのＥＰポール（三菱化学フォームプラスティック製）を装着（縫製も含む）した。これにより人体に対する耐衝撃性を高め、更に違和感の解消もでき、更に断熱性も高めた物を見いだしたものであり、その他の材料でも同様の効果が得られれば本発明に含まれる。
【００２０】
【発明の効果】
以上説明より明らかなように本発明は、被服に装着するディスプレイ付きユニットから発生する熱、電磁波や衝撃を人体に直接伝え難くし、更に違和感を解消した物とディスプレイ付きユニット内の温度上昇加速を押さえる事を解消した物を提供できる。
【図面の簡単な説明】
【図１】本発明の実施形態の被服にディスプレイ付きユニットを装着た全体図である。
【図２】被服とディスプレイ付きユニットの装着部分の断面図である。
【符号の説明】
１  被服
２  ディスプレイ付きユニット
３  バッテリーコード
４  バッテリー
５  ディスプレイ
６  生地表面
７  外側生地
８  金属繊維
９  生地裏面
１０  緩衝材
１１  人体側
１２  外気側
【図１】
2004232173.tif 000003
【図２】
2004232173.tif 000004